【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
ファイルキャビネットのための局所的な分割本体防火キャビティであって、前記ファイルキャビネットは、少なくとも１つのファイル引き出しアセンブリをスライド式に受け入れる開口部を画定する外側ハウジングを含み、
前記分割本体防火キャビティは、前記ファイルキャビネットの前記外側ハウジングに取り付けられるように構成される第１キャビティ部を有し、前記第１キャビティ部は、全体として三角形状の対向する側壁を含み、前記第１キャビティ部はさらに、下方内側角部および上方外側角部を含み、
前記分割本体防火キャビティは、前記ファイル引き出しアセンブリに取り付けられるように構成される第２キャビティ部を有し、前記第２キャビティ部は、全体として三角形状の対向する側壁を含み、前記第２キャビティ部はさらに、下方内側角部および上方外側角部を含み、
前記分割本体防火キャビティは、前記第１キャビティ部と前記第２キャビティ部との間の係合インターフェースを有し、前記係合インターフェースは、対角平面上に配置され、前記対角平面は、前記第１キャビティ部および前記第２キャビティ部の前記下方内側角部から、前記第１キャビティ部および前記第２キャビティ部の前記上方外側角部まで延び、前記第１キャビティ部および前記第２キャビティ部は、前記係合インターフェースにおいて互いに結合して、少なくとも１つの前記ファイル引き出しアセンブリが閉鎖位置にあるときに局所的な防火空間を画定するように構成される、局所的な分割本体防火キャビティ。
【請求項２】
請求項１に記載の局所的な分割本体防火キャビティであって、前記第１キャビティ部および前記第２キャビティ部の少なくとも一方は、断熱空間を画定する外側壁および内側壁を含む、局所的な分割本体防火キャビティ。
【請求項３】
請求項２に記載の局所的な分割本体防火キャビティであって、断熱防火材料が前記断熱空間内に位置決めされる、局所的な分割本体防火キャビティ。
【請求項４】
請求項１に記載の局所的な分割本体防火キャビティであって、さらに、前記第２キャビティ部内に配置される開放端部保管ボックスを有し、前記第２キャビティ部は、前記開放端部保管ボックスの一部を囲むように構成され、前記第１キャビティ部および前記第２キャビティ部は、少なくとも１つの前記ファイル引き出しアセンブリが閉鎖位置にあるときに、前記開放端部保管ボックスの全体を囲むように、前記係合インターフェースにおいて互いに結合するように構成される、局所的な分割本体防火キャビティ。
【請求項５】
請求項４に記載の局所的な分割本体防火キャビティであって、前記開放端部保管ボックスはシート金属から形成される、局所的な分割本体防火キャビティ。
【請求項６】
請求項１に記載の局所的な分割本体防火キャビティであって、前記第１キャビティ部および前記第２キャビティ部の一方は係合凹部を含み、前記第１キャビティ部および前記第２キャビティ部の他方は係合リッジを備え、前記係合リッジは、前記係合インターフェースに沿って前記係合凹部内に位置決めされる、局所的な分割本体防火キャビティ。
【請求項７】
請求項６に記載の局所的な分割本体防火キャビティであって、前記係合凹部内にガスケットが位置決めされる、局所的な分割本体防火キャビティ。
【請求項８】
請求項１に記載の局所的な分割本体防火キャビティであって、前記第１キャビティ部は、前記ファイルキャビネットの前記外側ハウジングに固定的に取り付けられるように構成される、局所的な分割本体防火キャビティ。
【請求項９】
ファイルキャビネットであって、
開口部を画定する外側ハウジングと、
前記外側ハウジングの前記開口部内にスライド式に配置される少なくとも１つのファイル引き出しアセンブリと、を有し、前記少なくとも１つのファイル引き出しアセンブリは、開放端部保管ボックスを有し、
前記ファイルキャビネットはさらに、第１キャビティ部および第２キャビティ部を含む分割本体防火キャビティを有し、前記第１キャビティ部は、前記外側ハウジングに取り付けられ、前記第１キャビティ部は、全体として三角形状の対向する側壁を含み、前記第１キャビティ部はさらに、下方内側角部および上方外側角部を含み、前記第２キャビティ部は、前記ファイル引き出しアセンブリに取り付けられ、且つ、前記開放端部保管ボックスの一部を囲むように構成され、前記第２キャビティ部は、全体として三角形状の対向する側壁を含み、前記第２キャビティ部はさらに、下方内側角部および上方外側角部を含み、前記第１キャビティ部と前記第２キャビティ部との間に係合インターフェースが設けられ、前記係合インターフェースは、対角平面上に配置され、前記対角平面は、前記第１キャビティ部および前記第２キャビティ部の前記下方内側角部から、前記第１キャビティ部および前記第２キャビティ部の前記上方外側角部まで延び、前記開放端部保管ボックスは、前記少なくとも１つのファイル引き出しアセンブリが開放位置にあるときにアクセス可能であり、前記第１キャビティ部および前記第２キャビティ部は、前記少なくとも１つのファイル引き出しアセンブリが閉鎖位置にあるときに、前記開放端部保管ボックスの全体を囲むように前記係合インターフェースで互いに結合するように構成される、ファイルキャビネット。
【請求項１０】
請求項９に記載のファイルキャビネットであって、前記第１キャビティ部および前記第２キャビティ部の少なくとも一方は、間に断熱空間を画定する外側壁および内側壁を含む、ファイルキャビネット。
【請求項１１】
請求項１０に記載のファイルキャビネットであって、断熱防火材料が前記断熱空間内に位置決めされる、ファイルキャビネット。
【請求項１２】
請求項９に記載のファイルキャビネットであって、前記開放端部保管ボックスは、シート金属から形成される、ファイルキャビネット。
【請求項１３】
請求項９に記載のファイルキャビネットであって、前記第１キャビティ部および前記第２キャビティ部の一方は係合凹部を含み、前記第１キャビティ部および前記第２キャビティ部の他方は係合リッジを備え、前記係合リッジは、前記係合インターフェースに沿って前記係合凹部内に位置決めされる、ファイルキャビネット。
【請求項１４】
請求項１３に記載のファイルキャビネットであって、前記係合凹部内にガスケットが設けられる、ファイルキャビネット。
【請求項１５】
請求項９に記載のファイルキャビネットであって、前記第１キャビティ部は、前記外側ハウジングに固定的に取り付けられる、ファイルキャビネット。
【請求項１６】
請求項１に記載の局所的な分割本体防火キャビティであって、さらに、前記第２キャビティ部の前記側壁の外側表面に取り付けられたトラックのペアを含み、前記トラックのペアは、前記外側ハウジングに画定される対応するチャネル内にスライド式に受け入れられるように構成される、局所的な分割本体防火キャビティ。
【請求項１７】
請求項９に記載のファイルキャビネットであって、さらに、前記第２キャビティ部の前記側壁の外側表面に取り付けられたトラックのペアを含み、前記トラックのペアは、前記外側ハウジングに画定される対応するチャネル内にスライド式に受け入れられるように構成される、ファイルキャビネット。
【請求項１８】
ファイルキャビネットのための局所的な分割本体防火キャビティであって、前記ファイルキャビネットは、少なくとも１つのファイル引き出しアセンブリをスライド式に受け入れる開口部を画定する外側ハウジングを含み、
前記分割本体防火キャビティは、前記ファイルキャビネットの前記外側ハウジングに取り付けられるように構成される第１キャビティ部を有し、前記第１キャビティ部は、頂部壁、後壁、および対向する側壁を含み、前記頂部壁および前記後壁は、前記第１キャビティ部の前記対向する側壁に接続され、前記対向する側壁は全体として三角形状であり、
前記分割本体防火キャビティは、前記ファイル引き出しアセンブリに取り付けられるように構成される第２キャビティ部を有し、前記第２キャビティ部は、底面壁、正面壁、および対向する側壁を含み、前記底面壁および前記正面壁は、前記第２キャビティ部の前記対向する側壁に接続され、前記第２キャビティ部の前記対向する側壁は、全体として三角形状であり、
前記分割本体防火キャビティは、前記第１キャビティ部と前記第２キャビティ部との間の係合インターフェースを有し、前記第１キャビティ部および前記第２キャビティ部は、前記係合インターフェースにおいて互いに結合して、少なくとも１つの前記ファイル引き出しアセンブリが閉鎖位置にあるときに局所的な防火空間を画定するように構成される、局所的な分割本体防火キャビティ。
【請求項１９】
請求項１８に記載の局所的な分割本体防火キャビティであって、前記第１キャビティ部および前記第２キャビティ部の少なくとも一方は、断熱空間を画定する外側壁および内側壁を含み、断熱防火材料が前記断熱空間内に位置決めされる、局所的な分割本体防火キャビティ。
【請求項２０】
請求項１８に記載の局所的な分割本体防火キャビティであって、さらに、前記第２キャビティ部内に配置される開放端部保管ボックスを有し、前記第２キャビティ部は、前記開放端部保管ボックスの一部を囲むように構成され、前記第１キャビティ部および前記第２キャビティ部は、少なくとも１つの前記ファイル引き出しアセンブリが閉鎖位置にあるときに、前記開放端部保管ボックスの全体を囲むように、前記係合インターフェースにおいて互いに結合するように構成される、局所的な分割本体防火キャビティ。
【請求項２１】
請求項１８に記載の局所的な分割本体防火キャビティであって、前記係合インターフェースは対角係合インターフェースである、局所的な分割本体防火キャビティ。
【請求項２２】
請求項１８に記載の局所的な分割本体防火キャビティであって、前記第１キャビティ部および前記第２キャビティ部の一方は係合凹部を含み、前記第１キャビティ部および前記第２キャビティ部の他方は係合リッジを備え、前記係合リッジは、前記係合インターフェースに沿って前記係合凹部内に位置決めされる、局所的な分割本体防火キャビティ。